(57)【特許請求の範囲】
【請求項１】
電気センサーの付された対の可動アームが向き合って内湾曲し、その先端部が閉じた状態で内側に被測定導体を抱え込む空間を有し、対の可動アームが相互に開き方向にバネで付勢されつつ回動可能に軸支持され、可動アームの開き抑制部材が本体に固設されており、本体との間に架け渡された摺動駆動バネにより付勢された前記軸が本体上のガイドに摺動可能に係合していることで、対の可動アームが本体内に押し込まれる方向に付勢されていて、
対の可動アームが本体側に押し込まれて開き抑制部材の抑制によりその先端部が閉じたとき、形成される前記空間の一部が本体外側にあり、
ガイドの摺動可能距離が、対の可動アームが本体側に押し込まれてその先端部が閉じた状態のまま、前記空間が本体の内部に埋没するに足りる距離を有することで、本体側に押し込まれる可動アームによって前記空間を通る被測定導体が本体に押し付けられることを特徴とするクランプテスタ。
【請求項２】
前記本体には、対の可動アームによって本体に押し付けられる被測定導体を位置決めするための凹部が形成されていることを特徴とする請求項１に記載のクランプテスタ。
【請求項３】
前記軸が前記摺動のための駆動レバーを兼ねていることを特徴とする請求項１又は２に記載のクランプテスタ。
【請求項４】
電気センサーが付された可動アームと、電気センサーが付され本体に固定された固定アームとが向き合って内湾曲し、該可動アームの先端部が固定アームに対して閉じた状態で内側に被測定導体を抱え込む空間を有し、該可動アームの回動軸が本体上のガイドに摺動可能に係合するとともに、摺動軌跡の途中に振分け死点がくるように本体との間にバネが架け渡されていることで、前記振分け死点を境とする前記回動軸の摺動位置により、可動アームが本体側に押されて先端部が固定アームに対して閉じる方向と、可動アームが本体の逆側に押されて先端部が固定アームに対して開く方向とに、可動アームの付勢される方向が反転するように構成されていて、
可動アームが本体側に押されて先端部が固定アームに対して閉じたとき、形成される前記空間の一部が本体外側にあり、
可動アームの内湾曲内面の軌跡が固定アームに沿って重なりあうまで、可動アームが回動可能になっていることで、本体側に押される可動アームによって前記空間を通る被測定導体が固定アームに押し付けられることを特徴とするクランプテスタ。
【請求項５】
前記回動軸が前記摺動のための駆動レバーを兼ねていることを特徴とする請求項４に記載のクランプテスタ。
【請求項６】
前記回動軸には、ガイドに沿って回動軸を摺動させる操作用の摺動レバーが固設されていることを特徴とする請求項４又は５に記載のクランプテスタ。
【発明の詳細な説明】
【技術分野】
【０００１】
本発明は、電線等の被測定導体に流れる電流を、被測定導体の切断、または被測定導体への電気的接触を行うことなく検出することのできるクランプテスタに関するものである。
【背景技術】
【０００２】
電力関連の現場では、電線等の漏れ電流、負荷電流等を検出するためにクランプテスタが広く使用されている。クランプテスタは、被測定導体を切断することなく電気的絶縁を保ちながら流れる電流を検出することができる。
【０００３】
従来のクランプテスタは、例えば特許文献１に示すように、アーチ状の可動センサと固定センサを備え、操作レバーを操作することで可動センサをリンクにより開き、被測定導体を可動センサと固定センサとの二つのアーチが形成する空間部の測定領域に導入し、可動センサを閉じる。そして被測定導体に流れる電流をセンサにより測定する。
【０００４】
このようなクランプテスタでは、被測定導体が測定領域のどの位置にあるかによって、同一の被測定導体であっても測定値が変化してしまう。そこで特許文献２には、一対の開閉アームからなるセンサ部により形成される空間部内へ被測定導体を導入する際、測定導体が測定領域の中心に位置するとランプ等によりそれを認知させる位置決めアダプタが開示されている。しかし、このアダプタによる位置決めは、被測定導体の径がアダプタの内径より小さいと、被測定導体を定位置に決めることはできない。アダプタの内径を被測定導体の径に合わせるにはアダプタの種類を多く用意し、被測定導体が変わる都度、アダプタを交換しなければならない。
【０００５】
【特許文献１】特開２０００−２３５０４７号公報
【特許文献２】特開２００５−１９１３９９号公報
【発明の開示】
【発明が解決しようとする課題】
【０００６】
本発明は前記の課題を解決するためなされたもので、センサに対して被測定導体を常に一定の位置に取り付け、再現性のある測定を正確かつ安全に、手間をかけずに行うことのできるクランプテスタを提供することを目的とする。
【課題を解決するための手段】
【０００７】
前記の目的を達成するためになされた、特許請求の範囲の請求項１に係る発明のクランプテスタは、電気センサーの付された対の可動アームが向き合って内湾曲し、その先端部が閉じた状態で内側に被測定導体を抱え込む空間を有し、対の可動アームが相互に開き方向にバネで付勢されつつ回動可能に軸支持され、可動アームの開き抑制部材が本体に固設されており、本体との間に架け渡された摺動駆動バネにより付勢された前記軸が本体上のガイドに摺動可能に係合していることで、対の可動アームが本体内に押し込まれる方向に付勢されていて、対の可動アームが本体側に押し込まれて開き抑制部材の抑制によりその先端部が閉じたとき、形成される前記空間の一部が本体外側にあり、ガイドの摺動可能距離が、対の可動アームが本体側に押し込まれてその先端部が閉じた状態のまま、前記空間が本体の内部に埋没するに足りる距離を有することで、本体側に押し込まれる可動アームによって前記空間を通る被測定導体が本体に押し付けられることを特徴とする。
【０００８】
同じく請求項２に係る発明のクランプテスタは、請求項１に記載されたもので、前記本体には、対の可動アームによって本体に押し付けられる被測定導体を位置決めするための凹部が形成されていることを特徴とする。
【００１０】
請求項３に係る発明のクランプテスタは、請求項１又は２に記載されたもので、前記軸が前記摺動のための駆動レバーを兼ねていることを特徴とする。
【００１１】
さらに、前記の目的を達成するためになされた、特許請求の範囲の請求項４に係る発明のクランプテスタは、電気センサーが付された可動アームと、電気センサーが付され本体に固定された固定アームとが向き合って内湾曲し、該可動アームの先端部が固定アームに対して閉じた状態で内側に被測定導体を抱え込む空間を有し、該可動アームの回動軸が本体上のガイドに摺動可能に係合するとともに、摺動軌跡の途中に振分け死点がくるように本体との間にバネが架け渡されていることで、前記振分け死点を境とする前記回動軸の摺動位置により、可動アームが本体側に押されて先端部が固定アームに対して閉じる方向と、可動アームが本体の逆側に押されて先端部が固定アームに対して開く方向とに、可動アームの付勢される方向が反転するように構成されていて、可動アームが本体側に押されて先端部が固定アームに対して閉じたとき、形成される前記空間の一部が本体外側にあり、可動アームの内湾曲内面の軌跡が固定アームに沿って重なりあうまで、可動アームが回動可能になっていることで、本体側に押される可動アームによって前記空間を通る被測定導体が固定アームに押し付けられることを特徴とする。
【００１２】
同じく請求項５に係る発明のクランプテスタは、請求項４に記載されたもので、前記回動軸が前記摺動のための駆動レバーを兼ねていることを特徴とする。
【００１３】
請求項６に係る発明のクランプテスタは、請求項４又は５に記載されたもので、前記回動軸には、ガイドに沿って回動軸を摺動させる操作用の摺動レバーが固設されていることを特徴とする。
【発明の効果】
【００１６】
本発明のクランプテスタは、二つのアームが形成する空間部の測定領域に、同一径の被測定導体を、常に同一箇所に取り付けることができるため、被測定導体とセンサとの距離は常に一定である。そのため、安定した電気測定ができる。
【００１７】
本発明のクランプテスタの測定には、被測定導体を同一箇所に取り付けるにあたり、駆動レバーをスライドさせるだけであるから、簡便な操作である。また駆動レバーは、右手でも左手でもスライドさせることができる位置に配置でき、右利き左利きによって機器を分ける必要がない。
【００１８】
不使用時に、アーム部分がクランプテスタの本体に収納されるため、コンパクトである。狭い場所でも測定できる。
【発明を実施するための好ましい形態】
【００１９】
以下、本発明を実施するための好ましい形態を、図面を参照して詳細に説明する。しかし本発明の範囲はこれらの実施形態に限定されるものではない。
【００２０】
本発明を適用するクランプテスタの一実施形態は、図１、図２、図３に示してある。図１に示すように可動アーム１１・１２が向き合って形成される略円形の空間に被測定導体３が抱え込まれ、その略円形の一片部に本体ケース４・５で抑えつけられ位置決めされる。可動アーム１１・１２は、図２に示すように、前後２枚が組み合わされた本体ケース４・５上方より突き出されてから、引き込まれながらクランプ動作を行う。
【００２１】
可動アーム１１・１２は、夫々湾曲しており、巻線２からなるセンサーが付されている。巻線２はリード線２０に通じている。対の可動アーム１１・１２は、湾曲を内側にして鋏み様に回動支軸６で支持され、下端部には引張りバネ８が掛渡されて上端部が鋏みの開き方向に付勢されている。回動支軸６の後端部および前端部は、夫々本体後ケース４、本体前ケース５の透視位置に設けられたガイド長孔９に嵌って係合し、ガイド長孔９に沿って摺動できる。尚、回動支軸６は、摺動のためのレバーを兼ねている。
【００２２】
回動支軸６と本体ケースの固定ピン１５との間には圧縮バネ７が挿入され、可動アーム１１・１２を本体ケース４・５内に押し込む方向（引っ張る方向）に付勢している。その押し込みを阻止する位置に、本体ケース４・５にコマ１０１・１０２が固設されている。
【００２３】
図１、図２、図３に示した上記のクランプテスタは、以下のように操作して電気測定を行う。摺動レバーを兼ねる回動支軸６を手指で上方にスライドさせると、図２に示す状態となる。すなわち回動支軸６が圧縮バネ７に抗してガイド長孔９を上方に摺動すると、可動アーム１１・１２はコマ１０１・１０２との縁が切れ、引張りバネ８に曳かれて可動アーム１１と１２とは、先端部が開く。
【００２４】
ここで可動アーム１１と１２との開きから内部に被測定導体３を入れ、次いで回動支軸６を手指で下方にスライドさせる。回動支軸６が圧縮バネ７に押されてガイド長孔９を下方に摺動すると、やがて可動アーム１１・１２はコマ１０１・１０２と接触して押され、先端が閉じる。
【００２５】
その一方で、回動支軸６の下方への摺動により、湾曲内部に被測定導体３が入った可動アーム１１・１２は本体ケース４・５内に押し込まれてゆく。すると、図１に示すように、被測定導体３が本体ケースの凹部４ａにあたり、可動アーム１１・１２が形成する略円形の最上部に凹部４ａで押しつけられて位置決めされる。
【００２６】
被測定導体３を挟み込まない状態で、回動支軸６を下方へ摺動させると、図３に示すように、可動アーム１１・１２は、本体ケース４・５内に押し込まれてその先端部が閉じ、被測定導体が入るべき湾曲内部も本体ケース４・５内に埋没する。したがって、細い被測定導体３が湾曲内部に入っている場合であっても可動アーム１１・１２が形成する略円形の最上部に凹部４ａで押しつけられて位置決めされる。
【００２７】
本発明を適用するクランプテスタの上記とは別な一実施形態が、図４、図５、図６に示してある。このクランプテスタは、図４に示すように、可動アームの先端部が固定アームに対して閉じた状態で、可動アーム１が本体ケース４・５側の固定アーム１１と向き合って形成される略円形の空間に被測定導体３が抱え込まれて抑えつけられ位置決めされる。可動アーム１は、図５に示すように、上方に突き出されてから、前後２枚が組み合わされた本体ケース４・５に引き込まれつつ固定アーム１１とでクランプ動作を行う。
【００２８】
可動アーム１と固定アーム１１とは、夫々湾曲しており、巻線２からなるセンサーが付されている。巻線２はリード線２０に通じている。可動アーム１は、湾曲を内側にして回動支軸１４で支持されている。回動支軸１４の後端部および前端部は、夫々本体後ケース４、本体前ケース５の透視位置に設けられたガイド長孔９に嵌って係合し、ガイド長孔９に沿って摺動できる。そして、回動支軸１４は逆Ｌ字型の摺動レバーに固設されている。なお、回動支軸１４が摺動のための駆動レバーを兼ねていてもよい。
【００２９】
可動アーム１の下端部にあるピン１７と本体ケース４・５の固定ピン１５の間は圧縮バネ１６が掛け渡されている。圧縮バネ１６の掛け渡し位置は、ガイド長孔９に沿って回動支軸１４が摺動したときに、ガイド長孔９の略中央付近で圧縮バネ１６の可動アーム１に対する押し方向が反転する死点の位置になるように、固定ピン１５を固設する。
【００３０】
図４、図５、図６に示した上記のクランプテスタは、以下のように操作して電気測定を行う。図４または図６に示した状態から摺動レバー１２を手指で左方にスライドさせると、図５に示す状態、すなわち図６の鎖線に示す状態となる。回動支軸１４がガイド長孔９を左方に摺動すると、可動アーム１は圧縮バネ１６に押されて反時計方向に回動し、先端部が上方に開く。
【００３１】
ここで可動アーム１と固定アーム１１との開きから内部に被測定導体３を入れ、次いで摺動レバー１２を手指で右方にスライドさせる。すると回動支軸１４がガイド長孔９を摺動する途中で、圧縮バネ７の可動アーム１に対する押し方向が反転し、可動アーム１が時計方向に回動し、図４に示すように、湾曲の内側が被測定導体３に接して固定アーム１１に押し付ける。この位置はいかなる被測定導体３であっても、太さが同一であればセンサーである巻線２とは相対的に同位置に位置決めされたことになる。
【００３２】
図６の実線に示すように、可動アーム１をいっぱいに閉じたとき、すなわち摺動レバー１２を右方いっぱいまでスライドさせ、回動支軸１４がガイド長孔９の右端にあたる状態で、可動アーム１の内湾曲内面の軌跡が、固定アーム１１に沿って重なりあうようにしてあると、可動アーム１の湾曲内面と、固定アーム１１の湾曲内面とを重ねあわせることができる。したがって、細い被測定導体３であっても、可動アーム１と固定アーム１１によって定位置に挟みこむことができる。
【図面の簡単な説明】
【００３３】
【図１】本発明を適用する一実施例のクランプテスタの測定状態を示す一部断面図である。
【００３４】
【図２】図１のクランプテスタの開閉途中を示す図である。
【００３５】
【図３】図１のクランプテスタの測定可動アームの収納状態を示す外観図である。
【００３６】
【図４】本発明を適用する別な実施例のクランプテスタの測定状態を示す一部断面図である。
【００３７】
【図５】図４のクランプテスタの開閉途中を示す図である。
【００３８】
【図６】図４のクランプテスタの測定可動アームの収納状態を示す外観図である。
【符号の説明】
【００３９】
１・１１・１２は可動アーム、２は巻線、３は被測定導体、４は本体後ケース、４ａは凹部、５は本体前ケース、６は摺動レバー兼回動支軸、７は圧縮バネ、８は引張りバネ、９はガイド長孔、１０１・１０２は開き止めコマ、１１は固定アーム、１２はスライドレバー、１３はストッパーコマ、１４は回動支軸、１５は固定ピン、１６は圧縮バネ、１７はピン、２０はリード線である。
【図１】
0005394605.tif 000002
【図２】
0005394605.tif 000003
【図３】
0005394605.tif 000004
【図４】
0005394605.tif 000005
【図５】
0005394605.tif 000006
【図６】
0005394605.tif 000007